(57)【特許請求の範囲】
【請求項１】
コンテンツにおける全再生範囲のうち所定の部分再生範囲だけを部分再生した後、次のコンテンツに切り換えて当該次のコンテンツにおける全再生範囲のうち所定の部分再生範囲だけを部分再生する部分再生手段と、
上記全再生範囲を示す全再生範囲バーに対して、上記部分再生範囲を示す部分再生範囲バーが重ねられ、かつ上記部分再生している現在再生点を示し、再生経過時間に合わせて移動表示すべき再生点マークが上記部分再生範囲バーに重ねられた状態のステータスバーを生成するステータスバー生成手段と、
上記部分再生手段により上記部分再生したときの上記コンテンツに関するタイトル及び当該コンテンツに対応した写真からなる再生画面を表示すると共に、当該再生画面の下方に上記ステータスバーをタッチ操作可能なタッチパネルが重ねられた状態で設けられている表示手段と、
上記再生画面に上記ステータスバーを重ねて表示した状態で、上記再生点マークがタッチ操作により上記部分再生範囲バーの範囲を超えてドラッグされたことを上記タッチパネルにより検出したとき、上記全再生範囲バーに対する上記部分再生範囲バーの位置を上記ドラッグに合わせて移動し、上記部分再生範囲バーの端部がタッチ操作された状態でドラッグされたことを上記タッチパネルにより検出したとき、上記部分再生範囲バーにおける上記部分再生範囲を上記ドラッグに合わせて伸縮する制御手段と
を具えるコンテンツ再生装置。
【請求項２】
コンテンツにおける全再生範囲のうち所定の部分再生範囲だけを所定の部分再生手段により部分再生した後、次のコンテンツに切り換えて当該次のコンテンツにおける全再生範囲のうち所定の部分再生範囲だけを上記部分再生手段により部分再生する部分再生処理ステップと、
上記全再生範囲を示す全範囲バーに対して、上記部分再生範囲を示す部分再生範囲バーが重ねられ、かつ上記部分再生している現在再生点を示し、再生経過時間に合わせて移動表示すべき再生点マークが上記部分再生範囲バーに重ねられた状態のステータスバーを所定のステータスバー生成手段によって生成するステータスバー生成ステップと、
上記部分再生処理ステップにより上記部分再生したときの上記コンテンツに関するタイトル及び当該コンテンツに対応した写真からなる再生画面を所定の表示手段に対して表示する表示ステップと、
所定の制御手段により、上記再生画面に上記ステータスバーを重ねて表示した状態で、上記再生点マークがタッチ操作により上記部分再生範囲バーの範囲を超えてドラッグされたことを、上記再生画面の下方で上記ステータスバーをタッチ操作可能な状態で設けられたタッチパネルにより検出したとき、上記全再生範囲バーに対する上記部分再生範囲バーの位置を上記ドラッグに合わせて移動し、上記部分再生範囲バーの端部がタッチ操作された状態でドラッグされたことを上記タッチパネルにより検出したとき、上記部分再生範囲バーにおける上記部分再生範囲を上記ドラッグに合わせて伸縮する制御ステップと
を有するステータスバー表示方法。
【請求項３】
コンピュータに対して、
コンテンツにおける全再生範囲のうち所定の部分再生範囲だけを部分再生した後、次のコンテンツに切り換えて当該次のコンテンツにおける全再生範囲のうち所定の部分再生範囲だけを部分再生する部分再生処理ステップと、
上記全再生範囲を示す全範囲バーに対して、上記部分再生範囲を示す部分再生範囲バーが重ねられ、かつ上記部分再生している現在再生点を示し、再生経過時間に合わせて移動表示すべき再生点マークが上記部分再生範囲バーに重ねられた状態のステータスバーを生成するステータスバー生成ステップと、
上記部分再生処理ステップにより上記部分再生したときの上記コンテンツに関するタイトル及び当該コンテンツに対応した写真からなる再生画面を表示する表示ステップと、
上記再生画面に上記ステータスバーを重ねて表示した状態で、上記再生点マークがタッチ操作により上記部分再生範囲バーの範囲を超えてドラッグされたことを、上記再生画面の下方で上記ステータスバーをタッチ操作可能な状態で設けられたタッチパネルにより検出したとき、上記全再生範囲バーに対する上記部分再生範囲バーの位置を上記ドラッグに合わせて移動し、上記部分再生範囲バーの端部がタッチ操作された状態でドラッグされたことを上記タッチパネルにより検出したとき、上記部分再生範囲バーにおける上記部分再生範囲を上記ドラッグに合わせて伸縮する制御ステップと
を実行させるステータスバー表示プログラム。
【発明の詳細な説明】
【技術分野】
【０００１】
本発明は、コンテンツ再生装置、ステータスバー表示方法及びステータスバー表示プログラムに関し、例えば車載用のカーオーディオ装置に適用して好適なものである。
【背景技術】
【０００２】
従来、オーディオ装置においては、選択対象のコンテンツが変更される度に各コンテンツの様々な部分から再生を開始することにより、コンテンツを変更する度に毎回先頭部分から再生する場合と比較して、新鮮味や面白味を感じさせるものがある（例えば、特許文献１参照）。
【特許文献１】特開2007-200373公報
【発明の開示】
【発明が解決しようとする課題】
【０００３】
ところで、以上のような構成のオーディオ装置においては、コンテンツの様々な部分から再生することが出来るものの、そのコンテンツの全範囲に対して、どの当たりを部分再生しているのかをユーザに対して理解させることができず、ユーザ自身がユーザ所望の部分再生範囲を聴取できているか否かを判断できないという問題があった。
【０００４】
本発明は以上の点を考慮してなされたもので、コンテンツの全再生範囲に対して部分再生範囲のポジションを直感的に認識させ得るコンテンツ再生装置、ステータスバー表示方法及びステータスバー表示プログラムを提案しようとするものである。
【課題を解決するための手段】
【０００５】
かかる課題を解決するため本発明においては、コンテンツにおける全再生範囲のうち所定の部分再生範囲だけを部分再生した後、次のコンテンツに切り換えて当該次のコンテンツにおける全再生範囲のうち所定の部分再生範囲だけを部分再生し、全再生範囲を示す全範囲バーに対して、部分再生範囲を示す部分再生範囲バーが重ねられ、かつ部分再生している現在再生点を示し、再生経過時間に合わせて移動表示すべき再生点マークが部分再生範囲バーに重ねられた状態のステータスバーを生成し、部分再生したときのコンテンツに関するタイトル及び当該コンテンツに対応した写真からなる再生画面を表示し、当該再生画面にステータスバーを重ねて表示した状態で、再生点マークがタッチ操作により部分再生範囲バーの範囲を超えてドラッグされたことを、上記再生画面の下方で上記ステータスバーをタッチ操作可能な状態で設けられたタッチパネルにより検出したとき、上記全再生範囲バーに対する上記部分再生範囲バーの位置を上記ドラッグに合わせて移動し、上記部分再生範囲バーの端部がタッチ操作された状態でドラッグされたことを上記タッチパネルにより検出したとき、上記部分再生範囲バーにおける上記部分再生範囲を上記ドラッグに合わせて伸縮するようにする。
【０００６】
これにより、ステータスバーに重ねられた部分再生範囲バーの再生点マークが再生経過時間に合わせて移動表示する様子をユーザに目視確認させることができるので、ステータスバーの全範囲バーに対する部分再生範囲バーの位置付けと共に部分再生範囲における現在の再生点が何処であるのかについても直感的に理解させることができ、また、そのときステータスバーと共に部分再生したときのコンテンツに関するタイトル及び当該コンテンツに対応した写真についても表示しているので、どのようなコンテンツの何処の部分再生範囲を再生中であるかについても直感的に理解させることができることに加え、再生点マークに対するドラッグ操作に応じて全再生範囲バーに対する部分再生範囲バーの位置を移動したり、部分再生範囲バーの端部に対するドラッグ操作に応じて部分再生範囲バーにおける部分再生範囲を伸縮することができるので、ユーザの好みに合わせた部分再生範囲に変更することができる。
【発明の効果】
【０００７】
本発明によれば、ステータスバーに重ねられた部分再生範囲バーの再生点マークが再生経過時間に合わせて移動表示する様子をユーザに目視確認させることができるので、ステータスバーの全範囲バーに対する部分再生範囲バーの位置付けと共に、部分再生範囲における現在の再生点が何処であるのかについても直感的に理解させることができ、また、そのときステータスバーと共に部分再生したときのコンテンツに関するタイトル及び当該コンテンツに対応した写真についても表示しているので、どのようなコンテンツの何処の部分再生範囲を再生中であるかについても直感的に理解させることができることに加え、再生点マークに対するドラッグ操作に応じて全再生範囲バーに対する部分再生範囲バーの位置を移動したり、部分再生範囲バーの端部に対するドラッグ操作に応じて部分再生範囲バーにおける部分再生範囲を伸縮することができるので、ユーザの好みに合わせた部分再生範囲に変更することができ、かくしてコンテンツの全再生範囲に対して部分再生範囲のポジションを直感的に理解させ得るコンテンツ再生装置、ステータスバー表示方法及びステータスバー表示プログラムを実現することができる。
【発明を実施するための最良の形態】
【０００８】
以下、図面について、本発明の一実施の形態を詳述する。
【０００９】
（１）カーオーディオ装置の全体構成
図１（Ａ）及び（Ｂ）において、１は全体として本発明におけるカーオーディオ装置を示し、本体部２の前面にフロントパネル３が設けられており、ユーザの操作に応じてラジオ放送の受信や、ＣＤ(Compact Disc)メディアや、ＤＶＤ(Digital Versatile Disc)メディア等の再生処理を行うようになされている。
【００１０】
そしてカーオーディオ装置１は、ラジオ放送のラジオ音声や、ＣＤメディア又はＤＶＤメディアの再生音声を、当該本体部２と接続された車両のスピーカ（図示せず）を介してユーザに聴取させるようになされている。
【００１１】
このカーオーディオ装置１は、図示しない車両に取り付けられた際、その車両の空間的な制約等から、本体部２の大部分がダッシュボード内に埋め込まれ、フロントパネル３だけがダッシュボードの外部に露出するように取り付けられることが想定されている。
【００１２】
実際上、カーオーディオ装置１は、いわゆるＤＩＮ(Deutsche Industrie Normen：ドイツ連邦規格)サイズに準拠しており、横幅が約１７８[mm]、高さが約５０[mm]となるように本体部２及びフロントパネル３が構成されている。
【００１３】
因みにカーオーディオ装置１のサイズとしては、このような１ＤＩＮサイズだけではなく、２ＤＩＮサイズであってもよく、更にはその他種々のサイズであっても良い。
【００１４】
フロントパネル３は、前面３Ａにユーザの操作を受け付けるための操作ボタン群４と、当該ユーザに各種情報を提供するためのＬＣＤ(Liquid Crystal Display)、有機ＥＬ(Electroluminescence)又はＶＦＤ(Vacuum Fluorescent Display)等でなるディスプレイ５とが設けられており、いわゆるユーザインタフェースとして機能するようになされている。
【００１５】
またフロントパネル３（図１（Ｂ））は、ディスプレイ５を配置したディスプレイ配置板６が全体的に下方向へスライドするようになされており、それに伴って、当該ディスプレイ配置板６の下方に設けられ、操作ボタン群４の一部が配置されたボタン配置板７が傾きながら前方向へせり出して突出するようになされている。
【００１６】
このときカーオーディオ装置１では、ディスプレイ配置板６が下方向へスライドした際のフロントパネル３における露出部分に、ＣＤメディアや、ＤＶＤメディア等を挿入又は排出するためのディスク挿入口８、及び当該ＣＤメディアや、ＤＶＤメディア等を排出するためのディスク排出ボタン９が設けられている。
【００１７】
なおカーオーディオ装置１は、本体部２にハードディスクドライブ（図示せず）を内蔵しており、当該ハードディスクドライブのハードディスクに格納された大量の音楽コンテンツや映像コンテンツを再生してディスプレイ５やスピーカ２７から出力し得るようになされている。
【００１８】
因みにカーオーディオ装置１では、本体部２とフロントパネル３とがコネクタ（図示せず）を介して電気的及び機械的に接続され、又は分離し得るようになされており、これにより盗難防止等の観点から、車両の駐車時に本体部２からフロントパネル３を取り外し得るようになされている。
【００１９】
（２）カーオーディオ装置の回路構成
次に、カーオーディオ装置１を構成する本体部２及びフロントパネル３の回路構成について説明する。実際上、カーオーディオ装置１は、図示しない車両のバッテリから電源電力の供給を受けて動作するようになされている。
【００２０】
図２に示すように、カーオーディオ装置１において本体部２のコントローラ２１は、ＣＰＵ(Central Processing Unit)構成でなり、当該コントローラ２１がＲＯＭ(Read Only Memory)から読み出してＲＡＭ(Random Access Memory)に立ち上げた基本プログラムに従って全体を統括制御するようになされている。
【００２１】
また本体部２のコントローラ２１は、ＲＯＭから読み出してＲＡＭに立ち上げた各種アプリケーションプログラムに従ってラジオ放送の受信や、ＣＤメディアやＤＶＤメディアの再生出力等を行うようになされている。
【００２２】
メモリ２２は、不揮発性メモリでなり、電源ＯＦＦになる前の記憶保持しておきたい各種設定データ等を格納するようになされている。従って、本体部２のコントローラ２１は、電源ＯＮ時、メモリ２２に格納されている各種設定データに基づいて電源ＯＦＦになる前の状態を再現し得るようになされている。
【００２３】
また本体部２のコントローラ２１は、フロントパネル３の操作ボタン群４がユーザによって押下操作されたことによりラジオ受信モードが選択された場合、アンテナＡＮＴを介して受信したラジオ放送信号Ｓ１を受信し、チューナ部２３へ送出する。
【００２４】
チューナ部２３は、ラジオ放送信号Ｓ１のうち、ユーザにより選択されたチャンネルの放送信号を抽出し、その放送信号に対して復調処理及び復号処理等を施すことにより音声信号Ｓ２に変換した後、これをオーディオプロセッサ２５へ送出する。
【００２５】
オーディオプロセッサ２５は、音声信号Ｓ２に対してイコライザ処理やボリューム調整処理等の音声調整処理を施し、その結果得られる音声信号Ｓ３をパワーアンプ２６へ送出する。
【００２６】
パワーアンプ２６は、音声信号Ｓ３を所定レベルに増幅し、その結果得られる音声信号Ｓ４をスピーカ２７へ送出することにより、当該音声信号Ｓ４に応じたラジオ音声を当該スピーカ２７から出力するようになされている。
【００２７】
一方、本体部２のコントローラ２１は、フロントパネル３の操作ボタン群４がユーザによって押下操作されたことによりディスク再生モード（ＣＤ再生モード又はＤＶＤ再生モード）が選択された場合、ディスクプレーヤ２４によりＣＤメディア又はＤＶＤメディアを再生させる。
【００２８】
そして本体部２のコントローラ２１は、ディスクプレーヤ２４によりＣＤメディアが再生されたことにより得られる音楽コンテンツＳＣ１又はＤＶＤメディアが再生されたことにより得られる音楽コンテンツＳＶ１をオーディオプロセッサ２５へ供給させるようになされている。
【００２９】
オーディオプロセッサ２５は、音楽コンテンツＳＣ１又はＳＶ１がディスクプレーヤ２４から供給された場合、当該音楽コンテンツＳＣ１又はＳＶ１に対して上述したような音声調整処理を施し、その結果得られる音楽信号ＳＣ２又はＳＶ２をパワーアンプ２６へ送出する。
【００３０】
パワーアンプ２６は、音楽信号ＳＣ２又はＳＶ２を所定レベルに増幅し、その結果得られる音楽信号ＳＣ３又はＳＶ３をスピーカ２７へ送出することにより、当該音楽信号ＳＣ３又はＳＶ３に応じたＣＤ再生音声又はＤＶＤ再生音声を当該スピーカ２７から出力するようになされている。
【００３１】
なお本体部２のコントローラ２１は、ＤＶＤ再生モードが選択されている場合であって、ディスクプレーヤ２４からＤＶＤ再生映像データＤＶ１の供給を受けたとき、当該ＤＶＤ再生映像データＤＶ１についてはディスプレイ５のＬＣＤ５Ａへ出力することにより、当該ＬＣＤ５に対してＤＶＤ再生映像を表示するようになされている。
【００３２】
さらに本体部２のコントローラ２１は、フロントパネル３の操作ボタン群４がユーザによって押下操作されたことによりハードディスク再生モードが選択された場合、ハードディスクドライブ２８によりハードディスクに格納されている音楽コンテンツＭＣ１又は映像コンテンツＶＭ１を再生させるようになされている。
【００３３】
このときコントローラ２１は、音楽コンテンツＭＣ１を再生した場合、同様にオーディオプロセッサ２５及びパワーアンプ２６を介して、当該音楽コンテンツＭＣ１に対応した再生音声をスピーカ２７から出力させるようになされている。
【００３４】
またコントローラ２１は、映像コンテンツＶＭ１を再生した場合、その再生映像データＶＭ１Ｖについてはディスプレイ５のＬＣＤ５Ａに出力すると共に、再生音声データＶＭ１Ａについては音楽コンテンツＭＣ１のときと同様、オーディオプロセッサ２５及びパワーアンプ２６を介して再生音声データＶＭ１Ａに対応した再生音声をスピーカ２７から出力させるようになされている。
【００３５】
ところで本体部２のコントローラ２１は、ＣＤ再生モードでＣＤメディアを再生したときや、ハードディスク再生モードで音楽コンテンツＭＣ１を再生するときであっても、当該再生した音楽に関する楽曲タイトル、アーティスト名、再生経過時間及びＣＤジャケット写真等の各種情報をディスプレイ５のＬＣＤ５Ａに対して表示するようになされている。
【００３６】
なおフロントパネル３は、ディスプレイ５におけるＬＣＤ５Ａの下方にタッチパネル５Ｂが重ねられた状態で設けられており、ＬＣＤ５Ａに対するユーザのタッチ操作に応じた命令をタッチパネル５Ｂによって受け付け、その命令を本体部２のコントローラ２１へ供給し得るようになされている。
【００３７】
因みに本体部２のコントローラ２１は、ディスプレイ５のタッチパネル５Ｂに対するタッチ操作を介してユーザの命令を受け付けるだけでなく、操作ボタン群４に対するユーザの押下操作を介してユーザの命令を受け付け、その命令に応じた各種処理を実行し得るようにもなされている。
【００３８】
（３）自動サビ部分再生処理の基本原理
このカーオーディオ装置１では、本体部２のディスクプレーヤ２４によって再生可能なＣＤメディアやＤＶＤメディア、及びハードディスクドライブ２８によって再生可能な当該ハードディスクに格納されている音楽コンテンツを再生対象として選択することができ、これらの再生結果をスピーカ２７から順次出力することができる。
【００３９】
このときカーオーディオ装置１では、例えばハードディスクドライブ２８によって再生可能な音楽コンテンツだけでも膨大であり、膨大であり過ぎるがゆえに、具体的に何の音楽コンテンツを再生させたいのかをユーザ自身が分からなくなってしまうことが往々にしてよくある。
【００４０】
そこでカーオーディオ装置１では、本体部２のディスクプレーヤ２４及びハードディスクドライブ２８により再生対象となる複数の音楽コンテンツにおける所謂「サビ」部分に相当するデータ（以下、これを「サビ部分データ」と呼ぶ）だけを抽出し、順次再生して出力し得る（以下、これを自動サビ部分再生処理と呼ぶ）ようになされている。
【００４１】
これによりカーオーディオ装置１は、膨大な数の音楽コンテンツを順番にフルコーラス再生するのではなく、自動サビ部分再生処理により音楽コンテンツの「サビ」部分だけを順次再生することになるので、再生中の楽曲がユーザの嗜好に合致したものであるか否かを短時間かつ容易に判別させ得るようになされている。
【００４２】
実際上、カーオーディオ装置１は、図３に示すように、例えば再生対象として一群の音楽コンテンツＡ、Ｂ及びＣが選択されていた場合、音楽コンテンツＡについてはコンテンツ全体のなかで音量レベルが所定の閾値を超えるくらい急激に上昇した時点に該当する再生開始後の１分２３秒経過時点をサビ開始位置として自動的に検出し、そのサビ開始位置からコンテンツ全体の２０％をサビ部分データＡ１として設定する。
【００４３】
またカーオーディオ装置１は、音楽コンテンツＢについても、コンテンツ全体のなかで音量レベルが所定の閾値を超えるくらい急激に上昇した時点に該当する再生開始後の１分１０秒経過時点をサビ開始位置として自動的に検出し、そのサビ開始位置からコンテンツ全体の２０％をサビ部分データＢ１として設定する。
【００４４】
さらにカーオーディオ装置１は、音楽コンテンツＣに対しても、コンテンツ全体のなかで音量レベルが所定の閾値を超えるくらい急激に上昇した時点に該当する再生開始後の１分５２秒経過時点をサビ開始位置として自動的に検出し、そのサビ開始位置からコンテンツ全体の２５％分をサビ部分データＣ１として設定する。
【００４５】
そしてカーオーディオ装置１は、サビ部分データＡ１、サビ部分データＢ１及びサビ部分データＣ１を順番に並べ、サビ部分データＡ１〜Ｃ１の各切れ間に対して、例えば２秒間程度でなる所定のサビ切換効果音ＳＡＢ１を被挿入コンテンツとして挿入することにより、自動サビ部分再生処理の具体的内容を設定するようになされている。
【００４６】
従ってカーオーディオ装置１は、自動サビ部分再生処理の設定内容に従って、「サビ切換効果音ＳＡＢ１」→「サビ部分データＡ１」→「サビ切換効果音ＳＡＢ１」→「サビ部分データＢ１」→「サビ切換効果音ＳＡＢ１」→「サビ部分データＣ１」→「サビ切換効果音ＳＡＢ１」→……というように「サビ切換効果音ＳＡＢ１」を挟みながらサビ部分データＡ１〜Ｃ１を順次再生出力し得るようになされている。
【００４７】
このときユーザは、何ら特別な操作をすることなく、サビ部分データＡ１〜Ｃ１の部分再生音を順番に聴取することになるため、当該ユーザにとって思いもよらない音楽コンテンツに遭遇したり、ユーザ自身では認識していないが潜在的に聴取したいと考えている音楽コンテンツを発見することができる。
【００４８】
かくしてユーザは、カーオーディオ装置１による自動サビ部分再生処理によって、膨大な数の音楽コンテンツの中から、短時間のうちにユーザの嗜好に合った音楽コンテンツと出会えるようになるのである。これが、自動サビ部分再生処理の大きな特徴の１つである。
【００４９】
なお、この場合、サビ部分データＡ１〜Ｃ１の各切れ間には、同じ内容のサビ切換効果音ＳＡＢ１が被挿入コンテンツとして挿入されるようになされているが、必ずしも同じ内容でなければならない訳ではなく、全て異なる種類のサビ切換効果音ＳＡＢ１、ＳＡＢ２、ＳＡＢ３、ＳＡＢ４、…が被挿入コンテンツとして挿入されるようにしても良い。
【００５０】
（４）ステータスバー表示
次にカーオーディオ装置１においては、ステータスバー表示プログラムに従って、例えば再生時間が４分２３秒の音楽コンテンツＡに対して自動サビ部分再生処理を実行中、当該音楽コンテンツＡにおける全再生範囲うちの「サビ」部分としてどの当たりが部分再生範囲として部分再生されているのかを示すステータスバー（後述する）を表示するようになされている。
【００５１】
実際上、図４（Ａ）に示すようにカーオーディオ装置１では、本体部２のコントローラ２１が音楽コンテンツＡの全再生範囲（０％〜１００％）ＡＡ１に対応した全再生範囲バーＡＡＢ１を生成する。ここで全再生範囲ＡＡ１とは、「ＳＴＡＲＴ」が再生開始時間の０分０秒に相当し、「ＥＮＤ」が再生終了時間の例えば４分２３秒に相当する。
【００５２】
そして本体部２のコントローラ２１は、再生開始後の１分２３秒経過時点からコンテンツ全体の２０％に相当するサビ部分データＡ１の部分再生範囲ＰＡ１に対応した部分再生範囲バーＰＡＢ１を生成し、それを全再生範囲バーＡＡＢ１の上に重ねることによりステータスバーＳＢ１を生成する。
【００５３】
このとき本体部２のコントローラ２１は、全再生範囲バーＡＡＢ１よりも部分再生範囲バーＰＡＢ１を太く生成していることにより、全再生範囲バーＡＡＢ１に対して部分再生範囲バーＰＡＢ１がどの当たりのポジションに位置付けられているのかを視覚的に認識し易くするようになされている。
【００５４】
また本体部２のコントローラ２１は、サビ部分データＡ１に合わせて、部分再生範囲バーＰＡＢ１の左側端部を部分再生開始点ＢＳ１（部分再生開示時刻）とし、当該部分再生範囲バーＰＡＢ１の右側端部が部分再生終了点ＢＥ１（部分再生終了時刻）として設定するようになされている。
【００５５】
なお本体部２のコントローラ２１は、ステータスバーＳＢ１における部分再生範囲バーＰＡＢ１の再生経過時間に合わせて移動表示すべき棒状の再生点マークＰＭ１を当該部分再生範囲バーＰＡＢ１の上に重ねて表示し得るようになされている。
【００５６】
また図４（Ｂ）に示すようにカーオーディオ装置１では、本体部２のコントローラ２１が音楽コンテンツＢの全再生範囲（０％〜１００％）ＡＡ２に相当する全再生範囲バーＡＡＢ２を生成する。
【００５７】
そして本体部２のコントローラ２１は、再生開始後の１分１０秒経過時点からコンテンツ全体の２０％に相当するサビ部分データＢ１の部分再生範囲ＰＡ２に対応した部分再生範囲バーＰＡＢ２を生成し、それを全再生範囲バーＡＡＢ２の上に重ねることによりステータスバーＳＢ２を生成する。
【００５８】
この場合も本体部２のコントローラ２１は、ステータスバーＳＢ２における部分再生範囲バーＰＡＢ２の再生経過時間に合わせて移動表示すべき再生点マークＰＭ２を当該部分再生範囲バーＰＡＢ２の上に重ねて表示し得るようになされている。
【００５９】
同様に本体部２のコントローラ２１は、サビ部分データＢ１に合わせて、部分再生範囲バーＰＡＢ２の左側端部を部分再生開始点ＢＳ２（部分再生開示時刻）とし、当該部分再生範囲バーＰＡＢ２の右側端部が部分再生終了点ＢＥ２（部分再生終了時刻）として設定するようになされている。
【００６０】
更に、図４（Ｃ）に示すようにカーオーディオ装置１では、本体部２のコントローラ２１が音楽コンテンツＣの全再生範囲（０％〜１００％）ＡＡ３に相当する全再生範囲バーＡＡＢ３を生成する。
【００６１】
そして本体部２のコントローラ２１は、再生開始後の１分５２秒経過時点からコンテンツ全体の２５％に相当するサビ部分データＣ１の部分再生範囲ＰＡ３に対応した部分再生範囲バーＰＡＢ３を生成し、それを全再生範囲バーＡＡＢ３の上に重ねることによりステータスバーＳＢ３を生成する。
【００６２】
この場合も本体部２のコントローラ２１は、ステータスバーＳＢ３における部分再生範囲バーＰＡＢ３の再生経過時間に合わせて移動表示すべき再生点マークＰＭ３を当該部分再生範囲バーＰＡＢ３の上に重ねて表示し得るようになされている。
【００６３】
なお本体部２のコントローラ２１は、同様に、サビ部分データＣ１に合わせて、部分再生範囲バーＰＡＢ３の左側端部を部分再生開始点ＢＳ３（部分再生開示時刻）とし、当該部分再生範囲バーＰＡＢ３の右側端部が部分再生終了点ＢＥ３（部分再生終了時刻）として設定するようになされている。
【００６４】
その後、本体部２のコントローラ２１は、図５に示すように、例えば音楽コンテンツＡのサビ部分データＡ１を部分再生中、ディスプレイ５のＬＣＤ５Ａに対して、アルバム名表示欄ＡＲ１に音楽コンテンツＡが含まれるアルバムタイトル（「ＸＸＸＸ」）を表示する。
【００６５】
それに加えて本体部２のコントローラ２１は、アーティスト名表示欄ＡＲ２にアーティストネーム（「ＺＺＺＺ」）を表示し、かつ曲名表示欄ＡＲ３に当該音楽コンテンツＡの楽曲タイトル（「ＹＹＹＹ」）を表示すると共に、その音楽コンテンツＡに対応したジャケット写真をフォト表示欄ＡＲ４に表示するようになされている。
【００６６】
これによりカーオーディオ装置１では、ディスプレイ５に表示したアルバム名表示欄ＡＲ１、アーティスト名表示欄ＡＲ２、曲名表示欄ＡＲ３及びフォト表示欄ＡＲ４からなる再生画面Ｖ１の内容により、音楽コンテンツＡが誰によって演奏された何という楽曲であるのか等をユーザに対して容易かつ直感的に認識させ得るようになされている。
【００６７】
因みにカーオーディオ装置１は、アルバム名表示欄ＡＲ１、アーティスト名表示欄ＡＲ２、曲名表示欄ＡＲ３に加えて、フォト表示欄ＡＲ４に音楽コンテンツＡに対応したジャケット写真を表示することにより、その音楽コンテンツＡがどのような楽曲であるかを写真のイメージによって瞬時に思い出させることもできる。
【００６８】
その上で、本体部２のコントローラ２１は、再生画面Ｖ１における曲名表示欄ＡＲ３及びフォト表示欄ＡＲ４の下方、すなわち当該再生画面Ｖ１の最下方位置に対して、上述したステータスバーＳＢ１を重ねて表示するようになされている。
【００６９】
このとき本体部２のコントローラ２１は、音楽コンテンツＡのサビ部分データＡ１を部分再生しているときの再生経過時間と連動させて、ステータスバーＳＢ１における部分再生範囲バーＰＡＢ１の再生点マークＰＭ１を矢印Ｘ方向へ移動させながら表示するようになされている。
【００７０】
従ってカーオーディオ装置１は、ステータスバーＳＢ１の全再生範囲バーＡＡＢ１に対する部分再生範囲バーＰＡＢ１のポジションをユーザに対して目視確認させることにより、現在ユーザに聴取させているサビ部分データＡ１（図４（Ａ））が、音楽コンテンツＡの全再生範囲におけるどの当たりに位置するのかを瞬時かつ直感的に認識させ得るようになされている。
【００７１】
因みにカーオーディオ装置１としては、デフォルト設定状態として、ステータスバーＳＢ１を表示するようになされているが、設定状態を変更することにより、ステータスバーＳＢ１を消去し、その代わりに再生経過時間を分秒表示し得るようにもなされている。
【００７２】
（５）ステータスバーの機能
このカーオーディオ装置１では、ステータスバー表示プログラムに従い、再生画面Ｖ１に重ねて表示したステータスバーＳＢ１が実現可能な種々の機能を説明する。
【００７３】
ここで、カーオーディオ装置１は、ディスプレイ５のタッチパネル５Ｂ（図２）が１点検出タイプであるか、多点（この場合は２点）検出タイプであるかによってユーザのタッチ操作の仕方が変わるため、１点検出タイプ又は多点検出タイプに分けてステータスバーＳＢ１の機能を説明する。
【００７４】
（５−１）１点検出タイプ及び多点検出タイプのタッチパネルに対応した再生点変更機能
図６（Ａ）に示すようにカーオーディオ装置１では、本体部２のコントローラ２１がステータスバーＳＢ１を表示した状態で、ユーザの指先によって当該ステータスバーＳＢ１の再生点マークＰＭ１がタッチされたまま矢印Ｘ方向へドラッグ操作されたことを認識すると、次の処理工程へ移る。
【００７５】
図６（Ｂ）に示すように、本体部２のコントローラ２１は、ユーザのドラッグ操作に合わせて再生点マークＰＭ１を強制的に移動すると共に、移動した位置に対応して現在再生点を変更し、その変更後の現在再生点における再生結果をスピーカ２７から出力させ得るようになされている。
【００７６】
すなわち、本体部２のコントローラ２１は、このとき図６（Ａ）に示した再生点マークＰＭ１よりも未来の再生結果をスピーカ２７から出力し得るようになされている。
【００７７】
一方、本体部２のコントローラ２１は、本体部２のコントローラ２１がステータスバーＳＢ１の再生点マークＰＭ１がユーザの指先でタッチされた状態から（図６（Ａ））から、矢印Ｘ方向とは逆方向へドラッグ操作されたことを認識すると、次の処理工程へ移る。
【００７８】
図６（Ｃ）に示すように、本体部２のコントローラ２１は、ユーザのドラッグ操作に合わせて再生点マークＰＭ１を強制的に移動すると共に、移動した位置に対応して現在再生点を変更し、その変更後の現在再生点における再生結果をスピーカ２７から出力させ得るようになされている。
【００７９】
このとき本体部２のコントローラ２１は、図６（Ａ）に示した再生点マークＰＭ１よりも過去の再生結果をスピーカ２７から再度出力し得るようになされている。
【００８０】
このように本体部２のコントローラ２１は、ユーザの指先による再生点マークＰＭ１のドラッグ操作に応じて、音楽コンテンツＡのサビ部分データＡ１に対する再生点を過去側又は未来側へ自在に移動させ得るようになされている。
【００８１】
従ってユーザにとっては、ステータスバーＳＢ１の再生点マークＰＭ１を指先でタッチして矢印Ｘ方向又はその逆方向へドラッグ操作するだけの直感的かつ感覚的な入力を行なうだけで、サビ部分データＡ１に対する再生結果を過去側へ戻って繰り返し聴取したり、或いは未来側へ強制的に進めて聴取するといった聴き方を選択することができる。
【００８２】
なおカーオーディオ装置１では、上述した再生点変更機能を再生点マークＰＭ１に対する１点だけのタッチ及びドラッグ操作だけで実現することが出来るようになされているため、タッチパネル５Ｂが１点検出タイプ又は多点検出タイプの何れであっても対応し得るようになされている。
【００８３】
（５−２）１点検出タイプのタッチパネルに対応した部分再生範囲バーの位置移動機能
図７（Ａ）に示すようにカーオーディオ装置１では、本体部２のコントローラ２１が表示したステータスバーＳＢ１の再生点マークＰＭ１がユーザの指先によってタッチされた状態から、図７（Ｂ）に示すように再生点マークＰＭ１が矢印Ｘ方向とは逆方向へドラッグ操作されたことを認識すると、次の処理工程へ移る。
【００８４】
このとき本体部２のコントローラ２１は、ユーザのドラッグ操作に合わせて再生点マークＰＭ１を部分再生範囲バーＰＡＢ１の部分再生開始点ＢＳ１（部分再生開示時刻）まで移動するが、再生点マークＰＭ１がタッチされたまま部分再生開始点ＢＳ１を超えて更に矢印Ｘ方向とは逆方向へドラッグ操作し続けられていることを認識すると、次の処理工程へ移る。
【００８５】
図７（Ｃ）に示すように本体部２のコントローラ２１は、上述のドラッグ操作に合わせて再生点マークＰＭ１を部分再生範囲バーＰＡＢ１と一体のまま、当該ドラッグ操作が停止するまで矢印Ｘ方向とは逆方向へ部分再生範囲バーＰＡＢ１を移動することにより、当該部分再生範囲バーＰＡＢ１の位置を最終的に決定するようになされている。
【００８６】
また本体部２のコントローラ２１は、図７（Ａ）に示すようにステータスバーＳＢ１の再生点マークＰＭ１がユーザの指先によってタッチされた状態から、図７（Ｄ）に示すように再生点マークＰＭ１が矢印Ｘ方向へドラッグ操作されたことを認識すると、次の処理工程へ移る。
【００８７】
このとき本体部２のコントローラ２１は、ユーザのドラッグ操作に合わせて再生点マークＰＭ１を部分再生範囲バーＰＡＢ１の部分再生終了点ＢＥ１（部分再生終了時刻）まで移動するが、再生点マークＰＭ１がタッチされたまま部分再生終了点ＢＳ１を超えて更に矢印Ｘ方向へドラッグ操作し続けられていることを認識すると、次の処理工程へ移る。
【００８８】
図７（Ｅ）に示すように本体部２のコントローラ２１は、上述のドラッグ操作に合わせて再生点マークＰＭ１を部分再生範囲バーＰＡＢ１と一体のまま、当該ドラッグ操作が停止するまで矢印Ｘ方向へ部分再生範囲バーＰＡＢ１を移動することにより、部分再生範囲バーＰＡＢ１の位置を最終的に決定するようになされている。
【００８９】
このようにカーオーディオ装置１では、タッチパネル５Ｂが１点検出タイプの場合、部分再生範囲バーＰＡＢ１の再生点マークＰＭ１が矢印Ｘ方向又はその逆方向へドラッグ操作されたことに応じて、全再生範囲バーＡＡＢ１に対する部分再生範囲バーＰＡＢ１の位置を移動し得るようになされている。
【００９０】
（５−３）多点検出タイプのタッチパネルに対応した部分再生範囲の位置移動機能
図８（Ａ）に示すようにカーオーディオ装置１では、本体部２のコントローラ２１が表示したステータスバーＳＢ１の部分再生範囲バーＰＡＢ１における両側の２点がユーザの指先でタッチ操作されたことを認識すると、次の処理工程へ移る。
【００９１】
図８（Ｂ）に示すように、本体部２のコントローラ２１は、部分再生範囲バーＰＡＢ１における両側の２点がユーザの指先でタッチ操作されたまま、矢印Ｘ方向へドラッグ操作されたことを認識すると、それに合わせて部分再生範囲バーＰＡＢ１の全体を矢印Ｘ方向へ移動して表示するようになされている。
【００９２】
そして本体部２のコントローラ２１は、その後ドラッグ操作が終わったことを認識すると、それに合わせて部分再生範囲バーＰＡＢ１の矢印Ｘ方向への移動を停止し、当該部分再生範囲バーＰＡＢ１の位置を最終的に決定するようになされている。
【００９３】
一方、図８（Ｃ）に示すように、本体部２のコントローラ２１は、図８（Ａ）に示したように、部分再生範囲バーＰＡＢ１における両側の２点がユーザの指先でタッチ操作されたまま、矢印Ｘ方向とは逆方向へドラッグ操作されたことを認識すると、それに合わせて部分再生範囲バーＰＡＢ１の全体を矢印Ｘ方向とは逆方向へ移動して表示するようになされている。
【００９４】
そして本体部２のコントローラ２１は、その後ドラッグ操作が終わったことを認識すると、それに合わせて部分再生範囲バーＰＡＢ１の矢印Ｘ方向とは逆方向への移動を停止し、当該部分再生範囲バーＰＡＢ１の位置を最終的に決定するようになされている。
【００９５】
因みに本体部２のコントローラ２１は、ステータスバーＳＢ１の部分再生範囲バーＰＡＢ１における両側２点がユーザの指先でタッチされたときに限らず、部分再生範囲バーＰＡＢ１における何れの箇所であっても、２点がタッチされた後にドラッグ操作された場合には部分再生範囲バーＰＡＢ１を移動して表示し得るようになされている。
【００９６】
このようにカーオーディオ装置１では、タッチパネル５Ｂが２点検出タイプの場合、部分再生範囲バーＰＡＢ１における両側の２点がユーザの指先でタッチ操作されたまま、矢印Ｘ方向又はその逆方向へドラッグ操作されたことに応じて、全再生範囲バーＡＡＢ１に対する部分再生範囲バーＰＡＢ１の位置を移動し得るようになされている。
【００９７】
（５−４）１点検出タイプのタッチパネルに対応した部分再生範囲バーの再生範囲変更機能
図９（Ａ）に示すようにカーオーディオ装置１では、本体部２のコントローラ２１が表示したステータスバーＳＢ１の部分再生範囲バーＰＡＢ１における例えば部分再生終了点ＢＥ１を含む端部領域がユーザの指先によってタッチされたまま、図９（Ｂ）に示すように矢印Ｘ方向へドラッグ操作されたことを認識すると、次の処理工程へ移る。
【００９８】
このとき本体部２のコントローラ２１は、ユーザのドラッグ操作に合わせて部分再生範囲バーＰＡＢ１の部分再生終了点ＢＥ１を矢印Ｘ方向へ移動させるように部分再生範囲バーＰＡＢ１を引き伸ばすことにより当該部分再生範囲バーＰＡＢ１の部分再生範囲を未来側へ拡大する。
【００９９】
そして図９（Ｃ）に示すように、本体部２のコントローラ２１は、ユーザのドラッグ操作が停止したことを認識すると、その停止した位置まで部分再生終了点ＢＥ１を移動させるようにして部分再生範囲バーＰＡＢ１を引き伸ばし、その部分再生範囲を未来側へ拡大した新たな部分再生範囲バーＰＡＢ１Ｕとして表示するようになされている。
【０１００】
なお本体部２のコントローラ２１は、部分再生終了点ＢＥ１を含む端部領域がユーザの指先によってタッチされた状態から矢印Ｘ方向とは逆方向へドラッグ操作されたことを認識した場合、部分再生範囲バーＰＡＢ１の部分再生終了点ＢＥ１を矢印Ｘ方向とは逆方向へ移動させるようにして部分再生範囲バーＰＡＢ１を縮めることにより、その部分再生範囲を縮小し得るようになされている。
【０１０１】
一方、図９（Ｄ）に示すように、本体部２のコントローラ２１が表示したステータスバーＳＢ１の部分再生範囲バーＰＡＢ１における例えば部分再生開始点ＢＳ１を含む端部領域がユーザの指先によってタッチされた状態から、図９（Ｅ）に示すように矢印Ｘ方向とは逆方向へドラッグ操作されたことを認識すると、次の処理工程へ移る。
【０１０２】
このとき本体部２のコントローラ２１は、ユーザのドラッグ操作に合わせて部分再生範囲バーＰＡＢ１の部分再生開始点ＢＳ１を矢印Ｘ方向とは逆方向へ移動させるようにして部分再生範囲バーＰＡＢ１を引き伸ばすことにより当該部分再生範囲バーＰＡＢ１の部分再生範囲を過去側へ拡大する。
【０１０３】
そして図９（Ｆ）に示すように、本体部２のコントローラ２１は、ユーザのドラッグ操作が停止したことを認識すると、その停止した位置まで部分再生開始点ＢＳ１を移動させるようにして部分再生範囲バーＰＡＢ１を引き伸ばし、その部分再生範囲を過去側へ拡大した新たな部分再生範囲バーＰＡＢ１Ｍとして表示するようになされている。
【０１０４】
なお、この場合も本体部２のコントローラ２１は、部分再生開始点ＢＳ１を含む端部領域がユーザの指先によってタッチされた状態から矢印Ｘ方向へドラッグ操作されたことを認識した場合、部分再生範囲バーＰＡＢ１の部分再生開始点ＢＳ１を矢印Ｘ方向へ移動させるようにして部分再生範囲バーＰＡＢ１を縮めることにより、その部分再生範囲を縮小し得るようになされている。
【０１０５】
このようにカーオーディオ装置１では、タッチパネル５Ｂが１点検出タイプの場合、部分再生範囲バーＰＡＢ１における部分再生開始点ＢＳ１を含む端部領域又は部分再生終了点ＢＥ１を含む端部領域がユーザの指先でタッチ操作されたまま、矢印Ｘ方向又はその逆方向へドラッグ操作されたことに応じて、部分再生範囲バーＰＡＢ１の範囲を自在に変更し得るようになされている。
【０１０６】
（５−５）多点検出タイプのタッチパネルに対応した部分再生範囲バーの再生範囲変更機能
図１０（Ａ）に示すようにカーオーディオ装置１では、本体部２のコントローラ２１が表示したステータスバーＳＢ１の部分再生範囲バーＰＡＢ１における部分再生開始点ＢＳ１を含む端部領域と、部分再生終了点ＢＥ１を含む端部領域との双方がユーザの指先（親指と人差指）によってタッチされた状態から、図１０（Ｂ）に示すように矢印Ｘ方向及びその逆方向へ同時にドラッグ操作されたことを認識すると、次の処理工程へ移る。
【０１０７】
このとき本体部２のコントローラ２１は、ユーザの２箇所に対するドラッグ操作に合わせて部分再生範囲バーＰＡＢ１の部分再生開始点ＢＳ１を矢印Ｘ方向とは逆方向へ移動させると共に、当該部分再生範囲バーＰＡＢ１の部分再生終了点ＢＥ１を矢印Ｘ方向へ移動させるようにして部分再生範囲バーＰＡＢ１を過去側及び未来側へ引き伸ばすことにより当該部分再生範囲バーＰＡＢ１の部分再生範囲を拡大する。
【０１０８】
図１０（Ｃ）に示すように、本体部２のコントローラ２１は、ユーザの２箇所に対するドラッグ操作が停止したことを認識すると、その停止した位置まで部分再生開始点ＢＳ１及び部分再生終了点ＢＥ１を移動させるようにして部分再生範囲バーＰＡＢ１を引き伸ばし、その結果、部分再生範囲を過去側及び未来側へ拡大した新たな部分再生範囲バーＰＡＢ１Ｎとして表示するようになされている。
【０１０９】
なお、本体部２のコントローラ２１は、部分再生開始点ＢＳ１を含む端部領域及び部分再生終了点ＢＥ１を含む端部領域がユーザの指先（親指と人差指）によってタッチされた状態から、その互いの指先の間隔を縮める方向へドラッグ操作されたことを認識した場合、部分再生範囲バーＰＡＢ１の部分再生開始点ＢＳ１を矢印Ｘ方向へ移動させると共に、部分再生終了点ＢＥ１を矢印Ｘ方向とは逆方向へ移動させるようにして部分再生範囲バーＰＡＢ１を縮めることにより、その部分再生範囲を縮小し得るようにもなされている。
【０１１０】
このようにカーオーディオ装置１では、タッチパネル５Ｂが２点検出タイプの場合、部分再生範囲バーＰＡＢ１における部分再生開始点ＢＳ１を含む端部領域及び部分再生終了点ＢＥ１を含む端部領域がユーザの指先（親指と人差指）でタッチ操作されたまま、矢印Ｘ方向又はその逆方向へドラッグ操作されたことに応じて、部分再生範囲バーＰＡＢ１の範囲を自在に拡大又は縮小し得るようになされている。
【０１１１】
（６）動作及び効果
以上の構成において、カーオーディオ装置１は、ディスプレイ５に音楽コンテンツＡに関する再生画面Ｖ１を表示すると共に、当該再生画面Ｖ１の所定位置にステータスバーＳＢ１を重ねて表示することにより、サビ部分データＡ１の部分再生結果をスピーカ２７から出力しながら、ステータスバーＳＢ１に対する部分再生範囲バーＰＡＢ１のポジションをユーザに対して目視確認させることができる。
【０１１２】
これによりカーオーディオ装置１は、音楽コンテンツＡの再生画面Ｖ１に対してサビ部分データＡ１の再生経過時刻を分秒単位で表示したときよりも、音楽コンテンツＡの全再生範囲バーＡＡＢ１に対する部分再生範囲バーＰＡＢ１のポジション（位置）を視覚的なイメージとしてユーザに目視確認させることができる。
【０１１３】
従ってユーザは、カーオーディオ装置１が部分再生しているサビ部分データＡ１の部分再生範囲ＰＡ１が音楽コンテンツＡの全再生範囲ＡＡ１に対して、どの当たりに位置するのかをステータスバーＳＢ１の全再生範囲バーＡＡＢ１に対する部分再生範囲バーＰＡＢ１のポジション（位置）を介して瞬時かつ直感的に認識することができる。
【０１１４】
このことは、カーオーディオ装置１として、ユーザであるドライバーが車両の運転中に、ディスプレイ５の再生画面Ｖ１を長時間直視し続けることが出来ない環境下にあっては、サビ部分データＡ１の再生経過時刻を分秒単位で表示するよりも特に効果的である。
【０１１５】
またカーオーディオ装置１は、ステータスバーＳＢ１の部分再生範囲バーＰＡ１における再生点マークＰＭ１を、その部分再生処理の経過と共に移動させながら表示することにより、部分再生範囲ＰＡ１のどの当たりをユーザが現在聴取しているのかを当該ユーザに対して瞬時かつ直感的に認識させることができる。
【０１１６】
更にカーオーディオ装置１は、ステータスバーＳＢ１の部分再生範囲バーＰＡＢ１における再生点マークＰＭ１をユーザのドラッグ操作に合わせて移動することが出来るので、部分再生処理中にその現在再生点をユーザに対して自在に変更させることができる。
【０１１７】
更にカーオーディオ装置１は、図７及び図８に示したように、全再生範囲バーＡＡＢ１に対する部分再生範囲バーＰＡＢ１の位置をユーザの指先によるタッチ及びドラッグ操作により自在に移動させることができるので、サビ部分以外の例えば楽曲の導入部分、終了部分、ボーカル開始部分等の任意部分を部分再生処理の対象として変更することができる。
【０１１８】
これによりカーオーディオ装置１は、部分再生処理の対象である聴取ポイントのバリエーションを増やすことができると共に、サビ部分ばかりを連続的に部分再生処理するのではなく、サビ部分、導入部分、終了部分、ボーカル開始部分を任意に変更しながら部分再生処理することができるため、エンタテインメント性を大幅に向上することもできる。
【０１１９】
更にカーオーディオ装置１は、図９及び図１０に示したように、全再生範囲バーＡＡＢ１に対する部分再生範囲バーＰＡＢ１の範囲をユーザの指先によるタッチ及びドラッグ操作により自在に変更させることができるので、サビ部分に加えて、その前の導入部分までを含めた広大な範囲を部分再生処理の対象として変更することができる。
【０１２０】
同様にカーオーディオ装置１は、サビ部分に加えて終了部分までを含めた広大な範囲を部分再生処理の対象として変更したり、導入部分から終了部分までの音楽コンテンツＡに対する全再生範囲ＡＡ１を部分再生処理の対象として変更することもできる。
【０１２１】
このようにカーオーディオ装置１は、部分再生処理の対象を自在に変更することができるので、部分再生処理の対象をサビ部分の長さだけに限ることなく、部分再生処理の長さについても自在に増減することができる。
【０１２２】
以上の構成によれば、カーオーディオ装置１は、ステータスバーＳＢ１の全再生範囲バーＡＡＢ１及び部分再生範囲バーＰＡＢ１を介して部分再生処理の位置を瞬時かつ直感的に認識させることができる。
【０１２３】
またカーオーディオ装置１は、ユーザの指先による直感的なタッチ及びドラッグ操作だけで、再生点マークＰＭ１による現在再生点を変更し、部分再生範囲バーＰＡＢ１の位置を移動したり、部分再生範囲バーＰＡＢ１の再生範囲を変更できるようにしたことにより、ユーザに対して定量的な設定値を入力させるのではなく、「この当たりを、このくらいの時間だけ再生したい」といった大雑把な要求に応えることができる。
【０１２４】
（７）他の実施の形態
なお上述の実施の形態においては、全再生範囲バーＡＡＢ１よりも部分再生範囲バーＰＡＢ１を太くするようにした場合について述べたが、本発明はこれに限らず、部分再生範囲バーＰＡＢ１よりも全再生範囲バーＡＡＢ１を太くするようにしても良い。
【０１２５】
また上述の実施の形態においては、再生対象として音楽コンテンツＡ乃至Ｃを用いるようにした場合について述べたが、本発明はこれに限らず、再生対象として映像コンテンツを用いるようにしても良い。その場合、サビ部分に相当するクライマックスシーンを部分再生処理の対象として用い、再生画面Ｖ１に対して部分再生処理の結果となる部分再生映像を順番に表示することができる。
【０１２６】
さらに上述の実施の形態においては、カーオーディオ装置１がハードディスクドライブ２８によりハードディスクに格納されている複数の音楽コンテンツＡ乃至Ｃを対象として部分再生処理するようにした場合について述べた。
【０１２７】
しかしながら、本発明はこれに限らず、カーオーディオ装置１においては、ディスクプレーヤ２４によりＣＤメディア、ＤＶＤメディアによって再生された音楽コンテンツや、映像コンテンツを対象として部分再生処理したり、ハードディスクに格納されている映像コンテンツをも加えて部分再生処理するようにしても良い。
【０１２８】
さらに上述の実施の形態においては、部分再生範囲バーＰＡＢ１に再生点マークＰＭ１を表示するようにした場合について述べたが、本発明はこれに限らず、ユーザの設定によって再生点マークＰＭ１を消去するようにしても良い。
【０１２９】
さらに上述の実施の形態においては、図７に示したように、再生点マークＰＭ１に対するドラッグ操作に合わせて部分再生範囲バーＰＡＢ１を移動するようにした場合について述べた。
【０１３０】
しかしながら、本発明はこれに限らず、カーオーディオ装置１においては、部分再生範囲バーＰＡＢ１の部分再生開始点ＢＳ１を含む端部領域又は部分再生終了点ＢＥ１を含む端部領域に対する指先のタッチ及びドラッグ操作に合わせて部分再生範囲バーＰＡＢ１を矢印Ｘ方向又はその逆方向へ移動するようにしても良い。
【０１３１】
さらに上述の実施の形態においては、予めインストールされたアプリケーションプログラムであるステータスバー表示プログラムに従い、上述したステータスバーＳＢ１等を生成して表示し、ステータスバーＳＢ１の各種機能を実現するようにした場合について述べた。
【０１３２】
しかしながら、本発明はこれに限らず、カーオーディオ装置１においては、所定の記録媒体からインストールしたステータスバー表示プログラムや、インターネットからダウンロードしたステータスバー表示プログラム、その他種々のルートによってインストールしたステータスバー表示プログラムに従って上述したステータスバーＳＢ１の生成したり、上述した各種機能を実現するようにしても良い。
【０１３３】
さらに上述の実施の形態においては、部分再生手段としてのディスクプレーヤ２４、ハードディスクドライブ２８及びコントローラ２１、ステータスバー生成手段としてのコントローラ２１、表示手段としてのディスプレイ５及び制御手段としてのコントローラ２１によってコンテンツ再生装置としてのカーオーディオ装置を構成するようにした場合について述べた。
【０１３４】
しかしながら、本発明はこれに限らず、コンテンツ再生装置としては、その他種々の回路構成でなる部分再生手段、ステータスバー生成手段、表示手段及び制御手段によって構成するようにしても良い。
【産業上の利用可能性】
【０１３５】
本発明のコンテンツ再生装置、ステータスバー表示方法及びステータスバー表示プログラムは、カーオーディオ装置に適用するようにしたが、例えばホームオーディオシステムにおけるホームオーディオ機器、パーソナルコンピュータ、携帯電話機、ゲーム機等のその他種々の電子機器に適用することができる。
【図面の簡単な説明】
【０１３６】
【図１】カーオーディオ装置の全体構成を示す略線的斜視図である。
【図２】カーオーディオ装置の回路構成を示す略線的ブロック図である。
【図３】自動サビ部分再生処理の説明に供する略線図である。
【図４】ステータスバーの構成を示す略線図である。
【図５】再生画面の構成を示す略線図である。
【図６】１点検出タイプ及び多点検出タイプのタッチパネルに対応した現在再生点の変更機能に関する説明に供される略線図である。
【図７】１点検出タイプのタッチパネルに対応した部分再生範囲バーの位置移動機能の説明に供する略線図である。
【図８】２点検出タイプのタッチパネルに対応した部分再生範囲バーの位置移動機能の説明に供する略線図である。
【図９】１点検出タイプのタッチパネルに対応した部分再生範囲バーの再生範囲変更機能の説明に供する略線図である。
【図１０】２点検出タイプのタッチパネルに対応した部分再生範囲バーの再生範囲変更機能の説明に供する略線図である。
【符号の説明】
【０１３７】
１……カーオーディオ装置、２……本体部、３……フロントパネル、４……操作ボタン群、５……ディスプレイ、５Ａ……ＬＣＤ、５Ｂ……タッチパネル、６……ディスプレイ配置板、７……ボタン配置板、８……ディスク挿入口、９……ディスク排出ボタン、２１……コントローラ、２２……メモリ、２３……チューナ部、２４……ディスクプレーヤ、２５……オーディオプロセッサ、２６……パワーアンプ、２７……スピーカ、２８……ハードディスクドライブ。
【図１】
0004650701.tif 000002
【図２】
0004650701.tif 000003
【図３】
0004650701.tif 000004
【図４】
0004650701.tif 000005
【図５】
0004650701.tif 000006
【図６】
0004650701.tif 000007
【図７】
0004650701.tif 000008
【図８】
0004650701.tif 000009
【図９】
0004650701.tif 000010
【図１０】
0004650701.tif 000011